(57)【要約】      （修正有）【課題】建物や任意の建造物に貼着されて安全性や危険防止を確保できる多色蓄光印刷体を提供する。  【解決手段】この多色蓄光印刷体１００は台紙１の表面に貼着される一色蓄光印刷体２とこの上に貼着される多色蓄光印刷体３からなり、色々の標識を多色で表示できる。本多色蓄光印刷シートによれば、台紙の表面にこれを覆って印刷貼着された一色蓄光印刷体の表面上に安全性や危険防止のための文字や図柄を表示した多色蓄光印刷体が形成され、この多色蓄光印刷体は一色蓄光印刷体とは異なる色で照明されるため、夜間等において所望の安全性や危険防止の標識が確実に表示される。なお、全体としてシート状のもので任意の場所や位置に簡単に設けることができる。【選択図】図１
0003171587.tif 000002
【実用新案登録請求の範囲】
【請求項１】
多色の蓄光印刷体からなるシートであって、該シートは、台紙と、該台紙の表面を覆って貼着印刷される一色蓄光印刷体と、該一色蓄光印刷体の表面に貼着印刷される多色蓄光印刷体とからなり、該多色蓄光印刷体は前記一色蓄光印刷体と異なる色の字体や図柄の標識からなることを特徴とする多色蓄光印刷シート。
【請求項２】
前記台紙の裏面には剥離可能なカバーシートが設けられ、前記台紙の前記カバーシートとの接触面には接着剤が貼着されていることを特徴とする請求項１に記載の多色蓄光印刷シート。
【請求項３】
前記多色蓄光印刷シートが、安全表示や危険表示のシートであることを特徴とする請求項１に記載の多色蓄光印刷シート。
【請求項４】
前記多色蓄光印刷シートが、壁紙であることを特徴とする請求項１に記載の多色蓄光印刷シート。
【考案の詳細な説明】
【技術分野】
【０００１】
本考案は、例えば建物内や公共建造物に貼着され、夜間や停電時や災害時において薄明照明体として機能して安全性等を確保できる簡便な多色蓄光印刷シートに関する。
【背景技術】
【０００２】
蓄光紙は従来より多方面において使用されているが、公知技術としては、例えば「特許文献１」が挙げられる。
【先行技術文献】
【特許文献】
【０００３】
【特許文献１】実用新案登録第３０１２３８９号（図１）  この「特許文献１」はその構成内容としては特殊のものであるが、蓄光色としては一色のものであり、主として黄色又は緑色の蓄光色のものからなる。  また、従来存在している蓄光紙としては多色のものは見当らない。
【考案の概要】
【考案が解決しようとする課題】
【０００４】
蓄光紙は夜間や停電時において薄明照明体として機能するが蓄光色は一色であり、安全性の確保のための標識や危険表示としての機能を有するものは少ない。
一方、夜間や停電時や夜間の災害発生時には安全確保のためや危険防止のための標識が極めて必要であり、その表示内容を明確に照明表示するものが望まれる。そのためには一色の台紙の照明のみならず、その上に印刷されている安全表示や危険表示の文字や図柄が台紙とは異なる色で、特に多色で表示されることが望ましい。しかしながら、従来技術では多色の蓄光表示を行う蓄光印刷シートは存在していなかった。
【０００５】
本考案は、以上の事情に鑑みて考案されたものであり、安全確保のためや危険防止等のための文字や図柄の標識が夜間において多色で照明表示できる多色蓄光印刷シートを提供することを目的とする。
【課題を解決するための手段】
【０００６】
本考案は、以上の目的を達成するために、請求項１の考案は、多色の蓄光印刷体からなるシートであって、該シートは、台紙と、該台紙の表面を覆って貼着印刷される一色蓄光印刷体と、該一色蓄光印刷体の表面に貼着印刷される多色蓄光印刷体とからなり、該多色蓄光印刷体は前記一色蓄光印刷体と異なる色の字体や図柄の標識からなることを特徴とする。
【０００７】
また、請求項２の考案は、前記台紙の裏面には剥離可能なカバーシートが設けられ、前記台紙の前記カバーシートとの接触面には接着剤が貼着されていることを特徴とする。
【０００８】
また、請求項３の考案は、前記多色蓄光印刷シートが、安全表示や危険表示のシートであることを特徴とする。
【０００９】
また、請求項４の考案は、前記多色蓄光印刷シートが、壁紙であることを特徴とする。
【考案の効果】
【００１０】
本考案の請求項１の多色蓄光印刷シートによれば、台紙の表面にこれを覆って印刷貼着された一色蓄光印刷体の表面上に安全性や危険防止のための文字や図柄を表示した多色蓄光印刷体が形成され、この多色蓄光印刷体は一色蓄光印刷体とは異なる色で照明されるため、夜間等において所望の安全性や危険防止の標識が確実に表示される。なお、全体としてシート状のもので任意の場所や位置に簡単に設けることができる。
【００１１】
また、請求項２の多色蓄光印刷シートによれば、台紙の裏面にはカバーシートが塗着されているため不使用時には他の場所に貼着されることなく持ち運びが容易に出来、保管も安全に出来る。一方、このカバーシートを剥がすことにより台紙の接着面が露出され任意の場所に貼着することが出来る。
【００１２】
また、請求項３の多色蓄光印刷シートによれば、多色蓄光印刷体は安全のための表示や危険防止のための表示を印刷したものからなり、夜間等における安全性や危険防止を確実に行うことが出来る。
【００１３】
また、請求項４の多色蓄光印刷シートによれば、多色蓄光印刷シートが壁紙であり、建物の任意の壁体に貼着できる。また、壁体も平面に限らず曲面や球面であってもよい。よって任意の場所に貼着可能である。
【図面の簡単な説明】
【００１４】
【図１】本考案の多色蓄光印刷シートの全体構造を示す断面図。
【図２】本考案の多色蓄光印刷シートの使用時の状態で示す断面図（ａ）及び（ａ）のＡ矢視の部分正面図（ｂ）。
【図３】安全や危険防止のための多色蓄光印刷シートの実施例を示す正面図（ａ），（ｂ），（ｃ），（ｄ）。
【考案を実施するための形態】
【００１５】
以下、本考案の多色蓄光印刷シートの実施の形態を図面を参照して詳述する。
【実施例１】
【００１６】
図１は台紙の裏面にカバーシートを設けた本考案の多色蓄光印刷シート１００を示す断面図である。
多色蓄光印刷シート１００は、例えばプラスチック製の薄板の台紙１と、この表面に貼着印刷される一色蓄光印刷体２と、更にその表面上に貼着印刷される多色蓄光印刷体３と、台紙１の裏面に設けられる接着体４と、この接着体４に剥離可能に接着されているカバーシート５等とからなる。なお、図１では各構成要素が夫々離れて表示されているが実際には一体的に形成されている。
【００１７】
一色蓄光印刷体２は、例えば黄色の蓄光顔料を有する印刷体からなり、台紙１の表面を覆って形成される。よって、台紙１の表面は夜間では黄色に表示される。
一方、多色蓄光印刷体３は多色、例えば黄色，緑色，赤色，青色，水色（スカイブル-）等の５色の蓄光顔料を含有する蓄光材からなり、所望の字体や図柄を表示した多色のものからなり、標識として使用される。この標識は安全性や危険防止等のものが多く使用されるが、勿論それ等に限定するものではない。
【００１８】
図２は多色蓄光印刷シート１００の使用側の１つを示すものである。図１に示した多色蓄光印刷シート１００の内のカバーシート４を剥がすと台紙１の裏面には接着体４が露出される。従って、図２（ａ）に示すように、例えば建物の壁６に多色蓄光印刷シート１００を貼着させることが出来る。従って、図２（ｂ）に示すように多色蓄光印刷体３（本実施例ではＡＢＣの文字で表示されている）が明確に表示される。このＡＢＣを、例えば赤色の蓄光顔料を用いたものとすれば夜間には黄色のベースに赤色のＡＢＣが浮び上った照明が表示されることになり、ＡＢＣの文字を明確に認識することが出来る。勿論、一色蓄光印刷体２及び多色蓄光印刷体３も蓄光材からなるため昼間において太陽光等の紫外線によって蓄光がチャージされ、夜間において繰返し使用され、長期間手つかずで使用される。よって安価な実施が可能となる。
【実施例２】
【００１９】
図３は多色蓄光印刷シート１００の数例を示したものである。図３（ａ）は高電圧の位置を表示する危険標識である。このものは一色蓄光印刷体２は黄色で多色蓄光印刷体３（図示では図柄と字体）は黒色で表示される。
【００２０】
図３（ｂ）は放射性物質であることを表示するもので一色蓄光印刷体２は黄色で図柄は黒色のものからなる。
【００２１】
図３（ｃ）は消火器のある場所を表示するもので一色蓄光印刷体２は黄色で消火器の文字は赤色のものからなり、夜間消火器の文字を赤く照明することが出来る。
【００２２】
図３（ｄ）は安全地帯であることを表示するもので一色蓄光印刷体１は黄色で図柄は、例えば黒色のものからなる。
【００２３】
図３（ａ），（ｂ），（ｃ），（ｄ）は勿論数例のものであり、所望の任意の文字や図柄の標識を表示したものが適用される。
【００２４】
多色蓄光印刷シート１００の貼着場所は任意の所でよく、平坦面に限らず、曲面や球面にも貼着することが出来る。例えば、電柱，窓ガラス，建物の壁，広告物，車両，歩道等あらゆる所に適用可能である。
【００２５】
本考案の多色蓄光印刷シート１００は以上の説明の内容からなるが、その説明内容に限定するものでなく、同一技術的範疇のものが適用されることは勿論である。
【産業上の利用可能性】
【００２６】
本考案は例えば安全性や危険防止等を必要とする場所や物の標識として使用され、また、製品や商品にも適用可能であり、その大きさや形状も任意のものでよく、その利用範囲は極めて広い。また、安価で取扱性もよいため各家庭においても使用可能である。勿論、日本国内に限定せず、外国においても使用可能であることは勿論である。
【符号の説明】
【００２７】
１      台紙
２      一色蓄光印刷体
３      多色蓄光印刷体
４      接着体
５      カバーシート
６      壁
１００  多色蓄光印刷シート
【図１】
0003171587.tif 000003
【図２】
0003171587.tif 000004
【図３】
0003171587.tif 000005